(57)【要約】【課題】鉄筋工が床スラブの施工現場に拘束される時間を短縮し、かつ前記床スラブの内部にブロックを保持するために用いる部材の数を減らすことにより、前記床スラブの経済的な施工を可能にすること。【解決手段】床スラブは、コンクリートからなる本体と、該本体の内部に配置された格子状の下端筋と、該下端筋の上方へ間隔を置かれた格子状の上端筋であって間隔を置かれた複数の第１上端筋及びそれぞれが該第１上端筋と交差する、間隔を置かれた複数の第２上端筋を含む上端筋と、前記第２上端筋と交差する、該第２上端筋に取り付けられた第１棒状部材であってそれぞれが互いに隣接する２つの第２上端筋の間に位置する複数の上向きの凹状部分を有する第１棒状部材と、該第１棒状部材の各凹状部分に配置されたブロックと、該ブロックの上を経て伸びる、前記第１上端筋に取り付けられた第２棒状部材とを含む。【選択図】図１
2009215788.tif 000002
【特許請求の範囲】
【請求項１】
コンクリートからなる本体と、
該本体の内部に配置された格子状の下端筋と、
該下端筋の上方へ間隔を置いて前記本体の内部に配置された格子状の上端筋であって間隔を置かれた複数の第１上端筋及びそれぞれが該第１上端筋と交差する、間隔を置かれた複数の第２上端筋を含む上端筋と、
互いに隣接する２つの第１上端筋の間にあって前記第２上端筋と交差する、該第２上端筋に取り付けられた第１棒状部材であってそれぞれが互いに隣接する２つの第２上端筋の間に位置する複数の上向きの凹状部分を有する第１棒状部材と、
該第１棒状部材の各凹状部分に配置された、コンクリートより比重が小さいブロックと、
該ブロックの上を経て伸び、前記第１上端筋と交差する、該第１上端筋に取り付けられた第２棒状部材とを含む、床スラブ。
【請求項２】
前記ブロックは、相対する上面及び下面と、それぞれが前記上面と前記下面との間に位置する、相対する一対の側面と、前記下面に設けられ、各側面で開放された、前記第１棒状部材の前記凹状部分を受け入れる第１溝とを有する、請求項１に記載の床スラブ。
【請求項３】
前記ブロックは、それぞれが前記側面の間に位置する、相対する一対の端面と、前記上面に設けられ、各端面で開放された、前記第２棒状部材を受け入れる第２溝とを有する、請求項２に記載の床スラブ。
【請求項４】
床スラブに用いる、コンクリートより比重が小さいブロックであって、相対する上面及び下面と、それぞれが前記上面と前記下面との間に位置する、相対する一対の側面と、それぞれが該側面の間に位置する、相対する一対の端面と、前記下面に設けられ、各側面で開放された第１溝と、前記上面に設けられ、各端面で開放された第２溝とを有する、ブロック。
【請求項５】
床スラブの施工法であって、
前記床スラブを形成する領域に格子状の下端筋を配置すること、
間隔を置かれた複数の第１上端筋及びそれぞれが該第１上端筋と交差する、間隔を置かれた複数の第２上端筋を含む格子状の上端筋を前記下端筋の上方へ間隔を置いて前記領域に配置すること、
複数の上向きの凹状部分を有する第１棒状部材を、該第１棒状部材が互いに隣接する２つの第１上端筋の間において前記第２上端筋と交差し、かつ前記第１棒状部材の各凹状部分が互いに隣接する２つの第２上端筋の間に位置するように前記第２上端筋に取り付けること、
前記第１棒状部材の各凹状部分に、コンクリートより比重が小さいブロックを配置すること、
第２棒状部材を、該第２棒状部材が前記ブロックの上を経て伸びかつ前記第１上端筋と交差するように該第１上端筋に取り付けること、
前記領域にコンクリートを打設することを含む、床スラブの施工法。
【発明の詳細な説明】
【技術分野】
【０００１】
本発明は、床スラブに関する。
【背景技術】
【０００２】
従来、建物の床スラブには、コンクリートからなる本体と、該本体の内部にある、コンクリートより比重が小さいブロックとを有するものがある（特許文献１参照）。前記本体の内部に前記ブロックがあることにより、前記床スラブの重量を軽減し、該床スラブのコンクリート使用量を低減することができる。
【特許文献１】実登３０８２６７７号公報
【０００３】
前記床スラブは、前記本体の内部に配置された格子状の下端筋と、該下端筋の上方へ間隔を置いて前記本体の内部に配置された格子状の上端筋とを有し、前記下端筋は、間隔を置かれた複数の第１下端筋及びそれぞれが該第１下端筋と交差する、間隔を置かれた複数の第２下端筋を含む。互いに隣接する２つの第１下端筋の間に、前記第２下端筋と交差する第１補助筋が配置されており、互いに隣接する２つの第２下端筋の間に、前記第１下端筋及び前記第１補助筋と交差する第２補助筋が配置されており、前記第１補助筋及び前記第２補助筋はそれぞれ前記第２下端筋及び前記第１下端筋に取り付けられている。前記ブロックは前記第１補助筋と前記第２補助筋との交差部分の上に配置されている。
【０００４】
前記ブロックの上に、該ブロックの上を経て伸びる第３補助筋が配置されており、該第３補助筋は前記上端筋に取り付けられている。前記ブロックは、前記第１補助筋、前記第２補助筋及び前記第３補助筋により、前記ブロックが配置された位置に保持されている。
【発明の開示】
【発明が解決しようとする課題】
【０００５】
ところで、前記床スラブを施工するとき、まず、鉄筋工が、前記床スラブを形成する領域に前記下端筋を配置する。次に、前記ブロックを配置するための作業員が、前記第１補助筋を、該第１補助筋が前記第２下端筋と交差するように互いに隣接する２つの前記第１下端筋の間に配置し、前記第２補助筋を、該第２補助筋が前記第１下端筋及び前記第１補助筋と交差するように互いに隣接する２つの前記第２下端筋の間に配置し、前記第１補助筋及び前記第２補助筋をそれぞれ前記第２下端筋及び前記第１下端筋に取り付ける。その後、前記ブロックを前記第１補助筋と前記第２補助筋との交差部分の上に配置し、前記第３補助筋を前記ブロックの上に配置する。その後、前記鉄筋工が前記上端筋を前記下端筋の上方へ間隔を置いて前記領域に配置し、前記上端筋に前記第３補助筋を取り付ける。その後、前記コンクリートを打設するための作業員が前記領域に前記コンクリートを打設して前記本体を形成する。
【０００６】
前記下端筋の配置後、前記上端筋の配置前に前記第１補助筋及び前記第２補助筋の前記下端筋への取り付けを行うため、前記下端筋の配置から前記上端筋の配置までに多くの時間を要する。このため、前記鉄筋工は前記床スラブの施工現場に長時間拘束され、前記鉄筋工に要する費用が高くつく。
【０００７】
また、前記第１補助筋、前記第２補助筋及び前記第３補助筋という３つの部材により前記ブロックを保持するため、該ブロックを保持するために用いる部材の数が比較的多い。このため、前記部材の購入に多くの費用を要し、前記部材の前記下端筋又は前記上端筋への取り付けに多くの手間を要する。
【０００８】
本発明の目的は、前記鉄筋工が前記床スラブの施工現場に拘束される時間を短縮し、かつ前記ブロックを保持するために用いる部材の数を減らすことにより、前記床スラブの経済的な施工を可能にすることである。
【課題を解決するための手段】
【０００９】
本発明は、前記床スラブの上端筋に、複数の凹状部分を有する第１棒状部材を取り付け、該第１棒状部材の各凹状部分に前記ブロックを配置する。これにより、前記第１補助筋と前記第２補助筋との交差部分の上に前記ブロックを配置した場合のように前記下端筋の配置後、前記上端筋の配置前に前記第１補助筋及び前記第２補助筋の前記下端筋への取り付けを行うことがないようにする。これにより、前記下端筋の配置から前記上端筋の配置までに要する時間を減らし、前記鉄筋工が前記床スラブの施工現場に拘束される時間を短縮する。また、本発明は、前記第１棒状部材と前記ブロックの上を経て伸びる第２棒状部材とにより前記ブロックを保持する。これにより、前記ブロックを保持するために用いる部材の数を低減する。
【００１０】
本発明に係る床スラブは、コンクリートからなる本体と、該本体の内部に配置された格子状の下端筋と、該下端筋の上方へ間隔を置いて前記本体の内部に配置された格子状の上端筋であって間隔を置かれた複数の第１上端筋及びそれぞれが該第１上端筋と交差する、間隔を置かれた複数の第２上端筋を含む上端筋と、互いに隣接する２つの第１上端筋の間にあって前記第２上端筋と交差する、該第２上端筋に取り付けられた第１棒状部材であってそれぞれが互いに隣接する２つの第２上端筋の間に位置する複数の上向きの凹状部分を有する第１棒状部材と、該第１棒状部材の各凹状部分に配置された、コンクリートより比重が小さいブロックと、該ブロックの上を経て伸び、前記第１上端筋と交差する、該第１上端筋に取り付けられた第２棒状部材とを含む。
【００１１】
前記上端筋に取り付けられた前記第１棒状部材の各凹状部分にブロックが配置されているため、第１補助筋と第２補助筋との交差部分の上に前記ブロックが配置されている場合のように前記下端筋の配置後、前記上端筋の配置前に前記第１補助筋及び前記第２補助筋の前記下端筋への取り付けを行うことを要しない。これにより、前記下端筋の配置と前記上端筋の配置とを連続して行うことができ、前記下端筋の配置から前記上端筋の配置までに要する時間を減らすことができる。このため、鉄筋工が前記床スラブの施工現場に拘束される時間を短縮することができ、前記鉄筋工に要する費用を低減することができる。
【００１２】
前記第１棒状部材の各凹状部分に前記ブロックが配置され、前記上端筋に、前記ブロックの上を経て伸びる前記第２棒状部材が取り付けられているため、前記第１棒状部材及び前記第２棒状部材という２つの部材により前記ブロックを、該ブロックが配置された位置に保持することができる。このため、第１補助筋、第２補助筋及び第３補助筋という３つの部材により前記ブロックを保持した場合と比べて、前記ブロックを保持するために用いる部材の数を減らすことができる。これにより、前記部材の購入費を軽減することができ、前記部材の取り付けに要する手間を低減することができる。
【００１３】
前記ブロックは、相対する上面及び下面と、それぞれが前記上面と前記下面との間に位置する、相対する一対の側面と、前記下面に設けられ、各側面で開放された、前記第１棒状部材の前記凹状部分を受け入れる第１溝とを有するものとすることができる。また、前記ブロックは、それぞれが前記側面の間に位置する、相対する一対の端面と、前記上面に設けられ、各端面で開放された、前記第２棒状部材を受け入れる第２溝とを有するものとすることができる。
【００１４】
前記ブロックの前記下面に、前記第１棒状部材の前記凹状部分を受け入れる前記第１溝が設けられていることにより、前記ブロックの前記下面に溝が設けられていない場合と比べ、前記ブロックの前記下面の高さを低くすることができ、前記ブロックが存在する領域を下方へ増大させることができる。また、前記ブロックの前記上面に、前記第２棒状部材を受け入れる前記第２溝が設けられていることにより、前記ブロックの前記上面に溝が設けられていない場合と比べ、前記ブロックの前記上面の高さを高くすることができ、前記ブロックが存在する領域を上方へ増大させることができる。これにより、より効果的に、前記床スラブの重量を軽減し、該床スラブのコンクリート使用量を低減することができる。
【００１５】
ところで、前記ブロックは、前記コンクリートが打設されるときに該コンクリートから圧力を受けたり、前記コンクリートが打設される前に作業員が前記ブロックに接触したり、ぶつかったりして、外力を受けることがある。前記ブロックの前記第１溝が前記第１棒状部材の前記凹状部分を受け入れているため、前記ブロックは、前記外力を受けても、平面で見て前記第１溝と交差する方向に移動することがない。また、前記ブロックの前記第２溝が前記第２棒状部材を受け入れているため、前記ブロックは、前記外力を受けても、平面で見て前記第２溝と交差する方向に移動することがない。このため、前記ブロックを、該ブロックが配置された位置に確実に保持することができる。
【００１６】
本発明に係る、床スラブに用いる、コンクリートより比重が小さいブロックは、相対する上面及び下面と、それぞれが前記上面と前記下面との間に位置する、相対する一対の側面と、それぞれが該側面間に位置する、相対する一対の端面と、前記下面に設けられ、各側面で開放された第１溝と、前記上面に設けられ、各端面で開放された第２溝とを有する。
【００１７】
本発明に係る、床スラブの施工法は、前記床スラブを形成する領域に格子状の下端筋を配置すること、間隔を置かれた複数の第１上端筋及びそれぞれが該第１上端筋と交差する、間隔を置かれた複数の第２上端筋を含む格子状の上端筋を前記下端筋の上方へ間隔を置いて前記領域に配置すること、複数の上向きの凹状部分を有する第１棒状部材を、該第１棒状部材が互いに隣接する２つの第１上端筋の間において前記第２上端筋と交差し、かつ前記第１棒状部材の各凹状部分が互いに隣接する２つの第２上端筋の間に位置するように前記第２上端筋に取り付けること、前記第１棒状部材の各凹状部分に、コンクリートより比重が小さいブロックを配置すること、第２棒状部材を、該第２棒状部材が前記ブロックの上を経て伸びかつ前記第１上端筋と交差するように該第１上端筋に取り付けること、前記領域にコンクリートを打設することを含む。
【発明の効果】
【００１８】
本発明によれば、床スラブの上端筋に、複数の凹状部分を有する第１棒状部材が取り付けられ、該第１棒状部材の各凹状部分にブロックが配置されているため、第１補助筋と第２補助筋との交差部分の上に前記ブロックが配置されている場合のように前記下端筋の配置後、前記上端筋の配置前に前記第１補助筋及び前記第２補助筋の前記下端筋への取り付けを行うことを要しない。このため、前記下端筋の配置から前記上端筋の配置までに要する時間を減らすことができ、鉄筋工が前記床スラブの施工現場に拘束される時間を短縮することができる。これにより、前記鉄筋工に要する費用を低減することができる。
【００１９】
また、前記第１棒状部材の各凹状部分に前記ブロックが配置され、前記上端筋に、前記ブロックの上を経て伸びる第２棒状部材が取り付けられているため、前記第１棒状部材及び前記第２棒状部材という２つの部材により前記ブロックを、該ブロックが配置された位置に保持することができる。このため、第１補助筋、第２補助筋及び第３補助筋という３つの部材により前記ブロックを保持した場合と比べて、前記ブロックを保持するために用いる部材の数を減らすことができる。これにより、前記部材の購入費を軽減することができ、前記部材の取り付けに要する手間を低減することができる。このため、前記床スラブを経済的に施工することができる。
【発明を実施するための最良の形態】
【００２０】
図１ないし３に示すように、建物の床スラブ１０が構築されており、該床スラブは、コンクリートからなる本体１２と、該本体の内部に配置された下端筋１４と、該下端筋からその上方へ間隔を置いて前記本体の内部に配置された上端筋１６、１８とを含む。下端筋１４及び上端筋１６、１８のそれぞれは格子状に組まれている。上端筋１６、１８は、間隔を置かれた複数の第１上端筋１６と、それぞれが該第１上端筋と交差する、間隔を置かれた複数の第２上端筋１８とを含む。
【００２１】
床スラブ１０は、互いに隣接する２つの第１上端筋１６の間にあって第２上端筋１８と交差する第１棒状部材２０を含む。第１棒状部材２０は第２上端筋１８に取り付けられている。
【００２２】
第１棒状部材２０は、間隔を置かれた複数の上向きの凹状部分２２を有する。各凹状部分２２は、互いに隣接する２つの第２上端筋１８の間に位置する。凹状部分２２は、間隔を置かれた一対の垂直部２２ａと、該垂直部の間に位置する水平部２２ｂとからなる（図１）。第１棒状部材２０は、各凹状部分２２の両側にあって第２上端筋１８と交差する交差部分２４を有する。第１棒状部材２０の第２上端筋１８への取付けは、第１棒状部材２０の交差部分２４を第２上端筋１８に結束することによりなされている。
【００２３】
床スラブ１０は、第１棒状部材２０の各凹状部分２２に配置されたブロック２６を含む。ブロック２６は、発泡スチロール、プラスチック、木材等のような、コンクリートより比重が小さい材料からなる。ブロック２６が本体１２の内部にあることにより、床スラブ１０の重量を軽減し、該床スラブのコンクリート使用量を低減することができる。なお、ブロック２６は下端筋１４及び上端筋１６、１８から間隔を置かれている。これにより、下端筋１４及び上端筋１６、１８のそれぞれの周囲に前記コンクリートが存在するようにし、下端筋１４及び上端筋１６、１８を前記コンクリートに十分に付着させる。
【００２４】
ブロック２６は、相対する上面２８及び下面３０と、それぞれが上面２８と下面３０との間に位置する、相対する一対の側面３２と、それぞれが該側面間に位置する、相対する一対の端面３４とを有する。ブロック２６は、直方体であり、第１棒状部材２０の凹状部分２２の形状と対応する形状を有する。ブロック２６の下面３０及び側面３２はそれぞれ第１棒状部材２０の凹状部分２２の水平部２２ｂ及び垂直部２２ａに密接しており、ブロック２６は、該ブロックが配置された位置に保持されている。
【００２５】
床スラブ１０は、ブロック２６の上を経て伸びる第２棒状部材３６を含む。第２棒状部材３６は、第１上端筋１６と交差しており、該第１上端筋に取り付けられている。第２棒状部材３６の第１上端筋１６への取付けは、第２棒状部材３６を第１上端筋１６に結束することによりなされている。第２棒状部材３６は該第２棒状部材の上方から見て第１棒状部材２０の凹状部分２２と交差しており（図２）、ブロック２６は第１棒状部材２０の凹状部分２２と第２棒状部材３６とにより挟持されている。
【００２６】
ところで、ブロック２６は、前記コンクリートが打設されるときに該コンクリートから圧力を受けたり、前記コンクリートが打設される前に作業員がブロック２６に接触したり、ぶつかったりして、外力を受けることがある。第２棒状部材３６は、ブロック２６が前記外力を受けて第１棒状部材２０の凹状部分２２の水平部２２ｂを中心に回転することがないようにする。また、第２棒状部材３６は、前記コンクリートの打設時にブロック２６に生じる浮力により該ブロックが浮き上がるのを防止する。
【００２７】
第１棒状部材２０及び第２棒状部材３６は鉄筋からなる。第１棒状部材２０及び第２棒状部材３６は、下端筋１４及び上端筋１６、１８のように本体１２を補強するものではなく、下端筋１４及び上端筋１６、１８の曲げ強度より小さい曲げ強度を有するものとすることができる。このため、第１棒状部材２０及び第２棒状部材３６の直径は、下端筋１４及び上端筋１６、１８の直径より小さく、図１に示した例では、約１０ｍｍである。なお、第１棒状部材２０及び第２棒状部材３６の直径は、任意に変更することができ、下端筋１４及び上端筋１６、１８の直径とほぼ等しくてもよい。第１棒状部材２０及び第２棒状部材３６は、鉄筋からなる図１に示した例に代え、プラスチックのような他の材料からなるものでもよい。
【００２８】
第１棒状部材２０の凹状部分２２の窪み寸法３８、すなわち第１棒状部材２０の交差部分２４から凹状部分２２の下端部までの距離は、図１に示した例では、下端筋１４の下端面から上端筋１６、１８の上端面までの距離４０の約１／２ないし約２／３に相当する大きさである。凹状部分２２の窪み寸法３８は、下端筋１４の下端面から上端筋１６、１８の上端面までの距離４０の約１／２ないし約２／３に相当する大きさである図１に示した例に代え、下端筋１４の下端面から上端筋１６、１８の上端面までの距離４０に相当する大きさとすることができる。これにより、ブロック２６が存在する領域を下方へ増大させることができ、より効果的に、床スラブ１０の重量を軽減し、該床スラブのコンクリート使用量を低減することができる。ブロック２６の上面２８は、ブロック２６の縦断面で見て直線状である図１に示した例に代え、上方に突な曲線状でもよいし、波形を呈していてもよい。ブロック２６は、直方体である図１に示した例に代え、立方体、球体、卵形状のもの等であってもよい。
【００２９】
床スラブ１０を施工するとき、まず、鉄筋工が、床スラブ１０を形成する領域に下端筋１４を配置する。次に、前記鉄筋工が上端筋１６、１８を下端筋１４から上方へ間隔を置いて前記領域に配置する。
【００３０】
その後、ブロック２６を配置するための作業員が第１棒状部材２０を第２上端筋１８に取り付ける。このとき、第１棒状部材２０が互いに隣接する２つの第１上端筋１６の間において第２上端筋１８と交差し、第１棒状部材２０の各凹状部分２２が互いに隣接する２つの第２上端筋１８の間に位置するようにする。
【００３１】
その後、前記作業員が第１棒状部材２０の各凹状部分２２にブロック２６を配置し、第２棒状部材３６を第１上端筋１６に取り付ける。このとき、第２棒状部材３６がブロック２６の上を経て伸びかつ第１上端筋１６と交差するようにする。その後、前記コンクリートを打設するための作業員が前記領域に前記コンクリートを打設して本体１２を形成する。
【００３２】
第２上端筋１８に、複数の凹状部分２２を有する第１棒状部材２０が取り付けられ、該第１棒状部材の各凹状部分２２にブロック２６が配置されるため、従来の床スラブのように下端筋１４の配置後、上端筋１６、１８の配置前に第１補助筋及び第２補助筋を下端筋に取り付けることを要しない。このため、下端筋１４の配置と上端筋１６、１８の配置とを連続して行うことができ、下端筋１４の配置から上端筋１６、１８の配置までに要する時間を減らすことができる。これにより、前記鉄筋工が床スラブ１０の施工現場に拘束される時間を短縮することができ、前記鉄筋工に要する費用を低減することができ、床スラブ１０を経済的に施工することができる。
【００３３】
第１棒状部材２０の各凹状部分２２にブロック２６が配置され、第１上端筋１６に、ブロック２６の上を経て伸びる第２棒状部材３６が取り付けられているため、第１棒状部材２０及び第２棒状部材３６という２つの部材によりブロック２６を、該ブロックが配置された位置に保持することができる。このため、従来の床スラブのように第１補助筋、第２補助筋及び第３補助筋という３つの部材によりブロックを保持した場合と比べて、ブロックを保持するために用いる部材の数を減らすことができる。これにより、前記部材の購入費を軽減することができ、前記部材の取り付けに要する手間を低減することができる。このため、床スラブ１０を経済的に施工することができる。
【００３４】
図４、５に示す例では、ブロック２６は、下面３０及び上面２８のいずれにも溝が設けられていない図１に示した例に代え、下面３０に設けられた第１溝４２と、上面２８に設けられた第２溝４４とを有する。第１溝４２は、各側面３２で開放されており、第１棒状部材２０の凹状部分２２の水平部２２ｂを受け入れている。第２溝４４は、各端面３４で開放されており、第２棒状部材３６を受け入れている。
【００３５】
ブロック２６の下面３０に、第１棒状部材２０の凹状部分２２を受け入れる第１溝４２が設けられているため、ブロック２６の下面３０に溝が設けられていない場合と比べ、ブロック２６の下面３０の高さを低くすることができ、ブロック２６が存在する領域を下方へ増大させることができる。また、ブロック２６の上面２８に、第２棒状部材３６を受け入れる第２溝４４が設けられているため、ブロック２６の上面２８に溝が設けられていない場合と比べ、ブロック２６の上面２８の高さを高くすることができ、ブロック２６が存在する領域を上方へ増大させることができる。これにより、より効果的に、床スラブ１０の重量を軽減し、該床スラブのコンクリート使用量を低減することができる。
【００３６】
ブロック２６の高さ寸法４６は、下端筋１４の下端面から上端筋１６、１８の上端面までの距離４０に相当する大きさであり、ブロック２６の下面３０は下端筋１４の下端面とほぼ同じ高さに位置し、ブロック２６の上面２８は上端筋１６、１８の上端面とほぼ同じ高さに位置する。ブロック２６の下方及び上方のそれぞれにおける該ブロックに対するコンクリートの被り厚さは、下端筋１４及び上端筋１６、１８に対するコンクリートの被り厚さとほぼ等しい。ブロック２６の大きさは、図４に示した例では、高さ寸法４６が約２００ｍｍであり、両端面３４の間の寸法が約２２０ｍｍであり、両側面３２の間の寸法が約２００ｍｍである。ブロック２６の大きさは任意に変更することができる。
【００３７】
ブロック２６の第１溝４２の深さ寸法４８は高さ寸法４６の約１／３ないし約１／２である。例えば、第１棒状部材２０の凹状部分２２の窪み寸法３８が下端筋１４の下端面から上端筋１６、１８の上端面までの距離４０の約１／２である場合、ブロック２６の第１溝４２の深さ寸法４８は高さ寸法４６の約１／２である。また、第１棒状部材２０の凹状部分２２の窪み寸法３８が下端筋１４の下端面から上端筋１６、１８の上端面までの距離４０の約２／３である場合、ブロック２６の第１溝４２の深さ寸法４８は高さ寸法４６の約１／３である。すなわち、ブロック２６の第１溝４２の深さ寸法４８は、ブロック２６の高さ寸法４６から第１棒状部材２０の凹状部分２２の窪み寸法３８を差し引いた寸法とほぼ等しい。
【００３８】
ブロック２６の第１溝４２が第１棒状部材２０の凹状部分２２を受け入れているため、ブロック２６は、前記外力を受けても、平面で見て第１溝４２と交差する方向に移動することがない。また、ブロック２６の第２溝４４が第２棒状部材３６を受け入れているため、ブロック２６は、前記外力を受けても、平面で見て第２溝４４と交差する方向に移動することがない。このため、ブロック２６を、該ブロックが配置された位置に確実に保持することができる。
【００３９】
ブロック２６の第１溝４２の深さ寸法は、高さ寸法４６の約１／３ないし約１／２である図４、５に示した例に代え、任意に変更することができる。ただし、第１溝４２の深さ寸法は、第１棒状部材２０の直径に相当する大きさ以上である。第２溝４４の深さ寸法は、第２棒状部材３６の直径に相当する大きさである。
【００４０】
ところで、下端筋１４の下端面から上端筋１６、１８の上端面までの距離４０は、床スラブ１０の厚さ、又は下端筋１４及び上端筋１６、１８に対するコンクリートの被り厚さに応じて異なる場合がある。仮に、下端筋１４の下端面から上端筋１６、１８の上端面までの距離４０が異なる他の床スラブ（図示せず）を施工する場合、下端筋１４の下端面から上端筋１６、１８の上端面までの距離４０に応じてブロック２６の高さ寸法４６と第１溝４２の深さ寸法４８とを変更する。例えば、下端筋１４の下端面から上端筋１６、１８の上端面までの距離４０がより長い場合、ブロック２６の高さ寸法４６と第１溝４２の深さ寸法４８とを大きくする。また、下端筋１４の下端面から上端筋１６、１８の上端面までの距離４０がより短い場合、ブロック２６の高さ寸法４６と第１溝４２の深さ寸法４８とを小さくする。このため、第１棒状部材２０の凹状部分２２の窪み寸法３８を変える必要がなく、凹状部分２２の窪み寸法３８が異なる他の第１棒状部材を用意する必要がない。これにより、前記他の第１棒状部材を用意する手間や費用を要することなく前記他の床スラブを経済的に施工することができる。
【００４１】
なお、ブロック２６の高さ寸法４６及び第１溝４２の深さ寸法４８の変更は、ブロック２６の高さ寸法４６と第１溝４２の深さ寸法４８とが比較的大きいブロック２６を予め用意しておき、ブロック２６を、第１溝４２と交差する水平断面（図示せず）で切断することにより、容易に行うことができる。
【００４２】
ブロック２６の上面２８は、平坦である図１に示した例に代え、図４、５に示した例では、上方に突状である。ところで、床スラブ１０の上面に衝撃が加えられて床衝撃音が発生することがある。ブロック２６の上面２８が平坦である場合、前記衝撃により床スラブ１０に生じた振動がブロック２６の上面２８と床スラブ１０の上面との間で反射を繰り返し、ブロック２６の上面２８と床スラブ１０の上面と間のコンクリートが共振する恐れがある。これにより、床スラブ１０の振動が増幅し、該床スラブの下方へ伝搬する床衝撃音が大きくなる。これに対して、ブロック２６の上面２８が上方に突状である場合、床スラブ１０に生じた振動は、ブロック２６の上面２８で乱反射し、ブロック２６の上面２８と床スラブ１０の上面との間で反射を繰り返すことはない。このため、前記コンクリートの共振を防止することができ、床スラブ１０の下方へ伝搬する床衝撃音を低減することができる。ブロック２６の上面２８の形状は、該ブロックの正面から見て、図４、５に示した例では、波形の一部分であるが、これに代え、円弧状のような他の形状でもよい。
【００４３】
図６、７に示す例では、ブロック２６は、各側面３２に設けられた第３溝５０を有する。第３溝５０は、第１溝４２と連通しており、上面２８で開放されている。第３溝５０は第１棒状部材２０の凹状部分２２の垂直部２２ａを受け入れている。これにより、第２棒状部材３６を第１上端筋１６に取り付ける前においても、ブロック２６が前記外力を受けて第１棒状部材２０の水平部２２ｂを中心に回転しないようにすることができ、その回転を確実に防止することができる。第３溝５０の深さ寸法は、第１棒状部材２０の直径に相当する大きさ以上である。
【００４４】
第１棒状部材２０の各凹状部分２２は、間隔を置かれた一対の垂直部２２ａと、該垂直部の間に位置する水平部２２ｂとからなる上記の例に代え、全体に円弧状を呈するものでもよいし、他の形状を呈するものでもよい。第１棒状部材２０の各凹状部分２２が全体に円弧状を呈する場合、ブロック２６の第１溝４２の底は、該第１溝の縦断面において第１棒状部材２０の凹状部分２２の形状と対応する円弧状を呈している。
【００４５】
互いに隣接する２つの第１上端筋１６の間に、１つの第１棒状部材２０が存在する上記の例に代え、第１棒状部材２０から間隔を置かれた少なくとも１つの他の第１棒状部材（図示せず）が存在してもよい。前記他の第１棒状部材は、第２上端筋１８と交差しており、該第２上端筋に取り付けられている。前記他の第１棒状部材は複数の上向きの凹状部分を有し、各凹状部分は互いに隣接する２つの第２上端筋１８の間に位置し、各凹状部分にブロック２６が配置されている。
【００４６】
１つの第２棒状部材３６がブロック２６の上を経て伸びる上記の例に代え、第２棒状部材３６から間隔を置かれ、ブロック２６の上を経て伸びる少なくとも１つの他の第２棒状部材（図示せず）が存在してもよい。前記他の第２棒状部材は、第１上端筋１６と交差しており、該第１上端筋に取り付けられている。
【図面の簡単な説明】
【００４７】
【図１】本発明の第１実施例に係る床スラブの断面図。
【図２】図１の線２における床スラブの断面図。
【図３】図２の線３における床スラブの断面図。
【図４】本発明の第２実施例に係る床スラブの断面図。
【図５】図４の線５における床スラブの断面図。
【図６】本発明の第３実施例に係る床スラブの断面図。
【図７】図６の線７における床スラブの断面図。
【符号の説明】
【００４８】
１０    床スラブ
１２    本体
１４    下端筋
１６    第１上端筋
１８    第２上端筋
２０    第１棒状部材
２２    凹状部分
２６    ブロック
２８    上面
３０    下面
３２    側面
３４    端面
３６    第２棒状部材
４０    下端筋の下端面から上端筋の上端面までの距離
４２    第１溝
４４    第２溝
４６    高さ寸法
４８    深さ寸法
【図１】
2009215788.tif 000003
【図２】
2009215788.tif 000004
【図３】
2009215788.tif 000005
【図４】
2009215788.tif 000006
【図５】
2009215788.tif 000007
【図６】
2009215788.tif 000008
【図７】
2009215788.tif 000009